(57)【要約】      （修正有）【課題】耐衝撃特性や耐振動性及び放熱特性を向上させた蓄電デバイスモジュールや蓄電デバイスホルダー等を提供することを目的とする。【解決手段】蓄電デバイス１２００が収納される蓄電デバイス収納部１１１０と樹脂が配置されるための樹脂収納部１１２０とが、隣接して備えられ、樹脂収納部と蓄電デバイス収納部と、が貫通孔を介して空間的に繋がっていることを特徴とする蓄電デバイスホルダー１１００とする。好ましくは、蓄電デバイス収納部は、対向する樹脂収納部の間に配置されるものとする。【選択図】図１
2019179856.tif 000002
【特許請求の範囲】
【請求項１】
蓄電デバイスホルダーにおいて、
蓄電デバイスが収納される蓄電デバイス収納部と樹脂が配置されるための樹脂収納部とが、隣接して備えられ、
前記樹脂収納部と前記蓄電デバイス収納部と、が貫通孔を介して空間的に繋がっている
ことを特徴とする蓄電デバイスホルダー。
【請求項２】
請求項１に記載の蓄電デバイスホルダーにおいて、
前記蓄電デバイス収納部は、対向する前記樹脂収納部の間に配置される
ことを特徴とする蓄電デバイスホルダー。
【請求項３】
請求項１または請求項２に記載の蓄電デバイスホルダーにおいて、
前記樹脂収納部の周囲に複数の前記蓄電デバイス収納部が備えられる
ことを特徴とする蓄電デバイスホルダー。
【請求項４】
請求項１乃至請求項３のいずれか一項に記載の蓄電デバイスホルダーにおいて、
前記蓄電デバイス収納部と前記樹脂収納部との境界には、実装される蓄電デバイスの頭頂部より高い所定高さまで設けられたリブを有する
ことを特徴とする蓄電デバイスホルダー。
【請求項５】
請求項１乃至請求項４のいずれか一項に記載の蓄電デバイスホルダーと、
前記蓄電デバイス収納部に収納された蓄電デバイスと、
前記樹脂収納部に配置された樹脂と、を備え、
前記樹脂が前記貫通孔を介して前記蓄電デバイスと接触することで、前記蓄電デバイスホルダーに前記蓄電デバイスが固定されている
ことを特徴とする蓄電デバイスモジュール。
【請求項６】
請求項５に記載の蓄電デバイスモジュールにおいて、
前記蓄電デバイスと前記樹脂収納部の側壁外面とが当接する位置は、前記蓄電デバイスの高さ寸法を１とすると、頭頂部側１／２以内の範囲となるように、前記側壁外面が構成される
ことを特徴とする蓄電デバイスモジュール。
【請求項７】
蓄電デバイスモジュールの製造方法において、
請求項１乃至請求項４のいずれか一項に記載の蓄電デバイスホルダーに蓄電デバイスを実装する工程と、
前期蓄電デバイスホルダーと前記蓄電デバイスとを樹脂で固定する工程と、を有する
ことを特徴とする蓄電デバイスモジュールの製造方法。
【発明の詳細な説明】
【技術分野】
【０００１】
本発明は、耐衝撃特性や耐振動性及び放熱特性を向上させた蓄電デバイスモジュールや蓄電デバイスホルダー等に関する。
【背景技術】
【０００２】
車載用途等に広く用いられている複数のコンデンサを配線基板上に実装して構成されるコンデンサモジュールに関する技術として、従来のコンデンサモジュールは、配線基板に設けた実装用の孔にコンデンサの一対のリード線を嵌め込んだ後、裏面側で半田付けすることにより配線基板に設けられた配線回路と電気的な接続を行い、複数のコンデンサを一枚の配線基板上に実装する構成が知られている。
【０００３】
そして、このような従来のコンデンサモジュールでは、配線基板に設けた取り付け用の孔を介してこのようなコンデンサモジュールを被使用機器に取り付けて使用するものであるので、その取り付け状態によっては複数のコンデンサの質量が全て一枚の配線基板に加わるために配線基板が歪んで変形したり、また、使用状況によって特に振動が加わった際に配線基板の取り付け用の孔や配線基板本体が割れたり、あるいはコンデンサの一対のリード線を配線基板に設けた配線回路と電気的に接続した半田付け部にクラックが入るという問題があることが知られている。
【０００４】
このような問題を解決する手段の一案として、下記特許文献１には、配線基板に重量的な負荷が加わることがなく、防爆弁が作動してもショート不良を発生することがない信頼性の高いコンデンサモジュールを提供することを目的とする発明が記載されている。
【０００５】
この文献によれば、複数の凹部が上面に設けられた取り付け板と、この取り付け板の凹部内に少なくとも一部が保持された複数のコンデンサと、このコンデンサから引き出されたリード線を夫々電気的に接続した配線基板からなり、上記取り付け板と配線基板がコンデンサを介して相反する方向に配設され、取り付け板を介して被使用機器に取り付けるようにした構成のものであり、これにより、複数のコンデンサの重量は全て取り付け板で支えるようになるために配線基板には一切重量的な負荷がかからないようになって配線基板の破壊が発生しなくなり、信頼性の高いコンデンサモジュールを提供することができるという作用効果を有するものとされる。
【先行技術文献】
【特許文献】
【０００６】
【特許文献１】特開２００３−２８２３６１号公報
【発明の概要】
【発明が解決しようとする課題】
【０００７】
車載用途等に用いられる蓄電デバイスモジュールは、高い耐振動性が求められる。従来技術のように、複数の蓄電デバイスを複数の収納筒部を設けたホルダーで蓄電デバイスの胴部を単に挟持して保持する蓄電デバイスモジュールでは、強い振動や衝撃を受けた場合に蓄電デバイスの素子に接続されたリード端子が破断するという不具合が生じることが懸念される。また、仮に該収納筒部に従来構成のリブやスリットを設けていても、固定力が十分ではなく、その効果は限定的である。また、収納筒部内に樹脂を充填し蓄電デバイスを固定する手段が知られているが、収納筒部内での樹脂の偏りや、樹脂の粘度の調整が困難であるなどの問題があり信頼性は高いとはいえない。
【０００８】
本発明は上述の問題点に鑑み為されたものであり、耐衝撃特性や耐振動性及び放熱特性を向上させた蓄電デバイスモジュールや蓄電デバイスホルダー等を提供することを目的とする。
【課題を解決するための手段】
【０００９】
本発明の蓄電デバイスホルダーは、蓄電デバイスが収納される蓄電デバイス収納部と樹脂が配置されるための樹脂収納部とが、隣接して備えられ、樹脂収納部と蓄電デバイス収納部と、が貫通孔を介して空間的に繋がっていることを特徴とする。
【００１０】
また、本発明の蓄電デバイスホルダーは、好ましくは蓄電デバイス収納部が、対向する樹脂収納部の間に配置されるものとし、さらに好ましくは樹脂収納部の周囲に複数の蓄電デバイス収納部が備えられることを特徴とする。
【発明の効果】
【００１１】
耐衝撃特性や耐振動性及び放熱特性を向上させた蓄電デバイスモジュールや蓄電デバイスホルダー等を提供できる。
【図面の簡単な説明】
【００１２】
【図１】複数の蓄電デバイスが蓄電デバイスホルダーに実装された蓄電デバイスモジュールを斜めから観察した状態において説明する斜視図である。
【図２】蓄電デバイスを取り外した状態の蓄電デバイスホルダーのみの構成を斜め上方から観察して説明する図である。
【図３】一部の蓄電デバイスについて実装を解除した状態の蓄電デバイスモジュールをリード端子側（底面側）から観察して説明する概要図である。
【図４】一部の蓄電デバイスについて実装を解除した状態の蓄電デバイスモジュールをリード端子側（底面側）から観察して説明する概要図である。
【図５】一部の蓄電デバイスについて実装を解除した状態の蓄電デバイスモジュールをリード端子側（底面側）から斜視観察して説明する概要図である。
【図６】樹脂充填用凹部への樹脂充填時の樹脂の配置をガイドするとともに蓄電デバイスホルダーの構造強度強化へ寄与するリブについて説明するための平面図である。
【図７】蓄電デバイスの配置状況とそれに伴って形成される下部空間の概要を説明するために底面側（リード端子側）を斜め下方から観察した状態を説明する図である。
【図８】蓄電デバイスの配置状況とそれに伴って形成される下部空間の概要を説明するために底面側（リード端子側）を斜め下方から観察した状態を説明する図である。
【図９】樹脂充填用凹部を拡大して説明する斜視図であり、蓄電デバイスホルダーのみの図面であって蓄電デバイス及び樹脂は示していない。
【発明を実施するための形態】
【００１３】
本実施形態で説明する蓄電デバイスホルダーは、複数の蓄電デバイスの頭部周囲を保持実装するための収納部と、樹脂を収納する樹脂収納部と、をそれぞれを有するホルダーであって、当該樹脂収納部に充填した樹脂が側壁に設けられたスリットから侵出して蓄電デバイスと密着する。これにより、ホルダーと蓄電デバイスとが強固に固定された蓄電デバイスモジュールが実現されるものとなる。さらに、樹脂収納部の周囲に複数の蓄電デバイス収納部を備えることで、一箇所の樹脂収納部に配置した樹脂で、複数の蓄電デバイスを固定することが可能となる。
【００１４】
また、本実施形態の蓄電デバイスの収納部は、筒状のように蓄電デバイス頭部周囲を閉塞するものではなく、蓄電デバイスの頭部付近の側面４カ所とホルダーとを当該スリットを介した樹脂で固定することができるので、高密度に実装でき蓄電デバイスモジュールの小型化が可能となる。
【００１５】
また、ホルダーの収納部に配置された蓄電デバイスは、当該蓄電デバイスの周囲側面頭部付近のみ４カ所で挟持される事となるので、一般的に蓄電デバイスが最も発熱する側面中心部付近においてホルダーは接触せず露出された状態となる。これにより、当該発熱部位の空冷による熱循環を阻害することなく放熱効果が向上することが期待できる。
【００１６】
また、本実施形態で説明する蓄電デバイスホルダーは、蓄電デバイスをｘ軸方向及びｙ軸方向にそれぞれライン状に揃えて配置することができるので、ｘ軸方向及びｙ軸方向のそれぞれの方向で各ライン間に空気の通り道が確保されることから放熱効果が向上することが期待できる。
【００１７】
さらに、本実施形態で説明する蓄電デバイスホルダーは、樹脂として例えば接着剤を使用することにより、さらに強固に固定・実装できるものとなる。そして、好ましくはホルダー上部には、蓄電デバイスが配列される上記ｘ軸とｙ軸とに斜め４５°配向方向において、湾曲形状の複数のリブが当該斜めに湾曲ライン状に設けられている。このリブにより、蓄電デバイスホルダーの耐久性及び強度が向上されるだけではなく、樹脂充填時に樹脂が蓄電デバイス頭部に漏れ出さないよう壁の機能を果たしていることにより、樹脂の確実な充填作業がより容易に遂行可能となる。当該リブによる壁の高さは樹脂充填時に樹脂が周囲へ拡散されない程度の所定の高さとできる。蓄電デバイスが、例えばキャパシタの場合にはその頭頂部に樹脂が付着すると安全弁の作動に支障をきたすことも懸念されるが、このような懸念を払拭できる。
【００１８】
また、蓄電デバイスの頭頂部に設けられている安全弁及びリード端子付け根の封口ゴム部を樹脂で覆うことなくホルダー及び樹脂による固定が可能である。このため安全弁の動作を阻害することもなく蓄電デバイスの経時変化に伴う封口ゴム部を介してのガスの放出を阻害することもなく、蓄電デバイスの寿命や信頼性に悪影響を与えることなく多数の蓄電デバイスを高密度で実装・保持することが可能となる。そこで、以下に図面に基づいてさらに詳細に説明する。
【００１９】
図１は、複数の蓄電デバイス１２００が蓄電デバイスホルダー１１００に実装された蓄電デバイスモジュール１０００を斜めから観察した状態において説明する斜視図である。図１において、蓄電デバイス１２００はその頭頂部１２１０が露出された状態で、蓄電デバイスホルダー１１００の蓄電デバイス収納部１１１０に収納されている。蓄電デバイス１２００は典型的にはキャパシタであってもよい。
【００２０】
図１に示すように、各収納部１１１０及び蓄電デバイス１２００は、図中ｘ軸方向及びｙ軸方向に各々ラインを形成した状態で順次にかつ整然と配列されている。通常は円筒形状であることが多い蓄電デバイス１２００を図１のように配列すると、蓄電デバイス１２００で囲まれた大凡ひし形の隙間が形成されるものとなるが、当該隙間に相当する空間には、樹脂充填用凹部１１２０が設けられている。
【００２１】
従って、図１から理解できるように、ｘ軸方向及びｙ軸方向に対して斜め４５°配向された図中ｐ方向及びｑ方向として示される斜め方向においては、蓄電デバイス１２００と樹脂充填用凹部１１２０とが交互に配置されるものとなる。
【００２２】
さらに、図１から理解できるように、一つの蓄電デバイス１２００に着目すれば、その周囲には四つの樹脂充填用凹部１１２０が隣接配置されていることになり、当該四つの樹脂充填用凹部１１２０の各一つの壁と当該一つの蓄電デバイス１２００とが接触して仮保持されるものとなる。すなわち、各蓄電デバイス１２００は、その周囲に隣接配置された四つの樹脂充填用凹部１１２０を形成する壁のうち最も近い壁計四つとそれぞれ当接して、頭頂部１２１０の周囲側壁四カ所で仮保持されている。
【００２３】
また、図２は、蓄電デバイス１２００を取り外した状態の蓄電デバイスホルダー１１００のみの構成を斜め上方から観察して説明する図である。図２に示すように、蓄電デバイスホルダー１１００の四隅にはネジ止め用のネジ穴が設けられており、回路基板等にネジ止め可能に構成されているがこれに限定されるものではない。
【００２４】
図２において、複数の蓄電デバイス収納部１１１０はｘ軸方向及びｙ軸方向にそれぞれライン状に配置されているが、当該蓄電デバイス収納部１１１０は、その隙間に形成されている樹脂充填用凹部１１２０によって結果的に形成されているものと説明することも可能である。
【００２５】
すなわち、図２から理解できるように、樹脂充填用凹部１１２０はその上部から樹脂や接着剤を充填可能に上面が開放された略四角柱の器状に形成されている。そして、当該樹脂充填用凹部１１２０を形成する四側面の一つによって、かつ樹脂充填用凹部１１２０が四つ正方形状に配列されることでその中央に蓄電デバイス収納部１１１０が構成されているものと理解できる。
【００２６】
また、図２に示すように、樹脂充填用凹部１１２０を構成する四つの側壁には、それぞれ充填された樹脂が蓄電デバイス１２００と接触するための貫通孔１１３０が設けられている。図２においては、当該貫通孔１１３０は、縦長のスリット形状を呈しているがこれに限定されるものではなく、任意形状の貫通孔１１３０とすることができる。また、図２では、各樹脂充填用凹部１１２０を構成する四つの側壁全てがそれぞれ縦長スリット形状の貫通孔１１３０を備えるものとして説明しているが、いずれか任意所定の側壁にのみ貫通孔１１３０を設ける構成とすることもできる。
【００２７】
また、図２において、樹脂充填用凹部１１２０を構成する四つの側壁の外面、すなわち蓄電デバイス１２００と接触する外面は、それぞれ円筒形状の蓄電デバイス１２００の周囲にフィットするように湾曲した側壁とされているが、この形状に限定されるものではなく、任意の形状としてもよい。図２に示すような蓄電デバイス１２００の周囲にフィットするように湾曲した側壁とすることにより、より安全かつ確実に大きな面積で蓄電デバイス１２００と接触することが可能となるので、仮固定が容易となるだけではなく、縦長スリット状の貫通孔１１３０も設けやすくなる。さらに、縦長スリット状の貫通孔１１３０により、蓄電デバイス１２００の周壁上方において高さ方向に延伸された樹脂密着部位を形成できるので、かつ周囲四カ所に形成できるので、確実な固定実装が可能となり、耐振動性や耐衝撃性の向上が期待できるものとなる。
【００２８】
ここで、図９は、樹脂充填用凹部１１２０を拡大して説明する斜視図であり、蓄電デバイスホルダー１１００のみの図面であって蓄電デバイス１２００及び樹脂は示していない。蓄電デバイスホルダー１１００は、図９に示すようにハッチングで表した部分（貫通孔１１３０の上部にあたる部分）が開放空間とされて、切り欠き部１１３５とされていることがさらに好ましい。ここで、当該ハッチングは、その箇所を示すためのマーキングであって何かの物質や素材がそこに存在することを示すものではないことに留意されたい。すなわち、蓄電デバイスホルダー１１００の構成としては、図９で示すハッチングをした部分に、その構成材料等が一切存在しないことがさらに好ましいということである。このように切り欠き部１１３５を貫通孔１１３０の上部に設けることにより、樹脂充填が容易になり、また蓄電デバイスホルダー１１００に蓄電デバイス１２００を挿入した時に、貫通孔１１３０越しに蓄電デバイス１２００の実装具合を頭頂部１２１０側から視認し易くなる。
【００２９】
図３及び図４は、一部の蓄電デバイス１２００について実装を解除した状態の蓄電デバイスモジュール１０００をリード端子１２３０（１），１２３０（２）側（底面側）から観察して説明する概要図である。また、図５は、一部の蓄電デバイス１２００について実装を解除した状態の蓄電デバイスモジュール１０００をリード端子１２３０（１），１２３０（２）側（底面側）から斜視観察して説明する概要図である。リード端子１２３０（１），１２３０（２）は以下において適宜リード端子１２３０と総称する。また、図３（ｂ）で太線で囲んでマーキング記載しているガイド部１１２５は、下方が広がったテーパ状になっており、蓄電デバイス１２００を上方へ挿入ガイドする役割がある。また、樹脂充填用凹部１１２０に設けられたスリット状の貫通孔１１３０は、ガイド部１１２５の領域内にまでは延伸されていない。仮にガイド部１１２５の領域まで貫通孔１１３０が延伸されているとすれば、蓄電デバイス１２００と、ガイド部１１２５にまで延伸された貫通孔１１３０と、の間に隙間が生じてしまい（ガイド部１１２５はテーパ状である）、樹脂の漏れが生じることが懸念される。
【００３０】
図３乃至図５において、リード端子１２３０は、不図示の回路基板等にそれぞれハンダ付されて電気が供給されたり供給したりするものとしてもよく、当該不図示の回路基板に蓄電デバイスホルダー１１００がネジ止め等固定実装されるものとしてもよい。
【００３１】
そして、図３乃至図５から理解できるように、樹脂充填用凹部１１２０を構成する四つの側壁の外面は、蓄電デバイス１２００の円筒側面に完全にフィット（面接触）するものではなく、辺縁部で縦方向に接触（線接触）するものとしてもよい。図３乃至図５に示す樹脂充填用凹部１１２０を構成する四つの側壁のうち、一つの側壁の外面に着目すれば、外面の二つの辺縁部（両端二本の縦辺縁部を構成する線）で高さ方向に蓄電デバイス１２００と接触するとともに、二つの辺縁部の中央間において縦長スリット状の貫通孔１１３０により樹脂で固定される。このように、各蓄電デバイス１２００は周囲に配置された四つの樹脂充填用凹部１１２０の各側壁外面によって、保持され固定されるものとしてもよい。また、図４から理解できるように、挟持される蓄電デバイス１２００と樹脂充填用凹部１１２０を構成する側壁の外面とが当接する位置は、蓄電デバイス１２００の高さの頭頂部側１／２以内の範囲となるように樹脂充填用凹部が構成されている。具体的には、蓄電デバイス１２００がその典型例であるキャパシタである場合には、最も発熱する部位はキャパシタの高さ寸法を１とした（但しリード端子長さは含まない）ときに１／２すなわち中央部となることから、当該中央部近辺及びその下方部位は、当該側壁外面と当接しないようにして露出させて冷却効率を維持させることがより好ましい。
【００３２】
また、図６は、樹脂充填用凹部１１２０への樹脂充填時の樹脂の配置をガイドするとともに蓄電デバイスホルダー１１００の構造強度強化へ寄与するリブ１１４０について説明するための平面図である。図６からも理解できるように、ｘ軸方向とｙ軸方向とにそれぞれライン状に蓄電デバイス収納部１１１０が直線配置され、それぞれ複数のラインを形成していることは既に説明した。
【００３３】
そして、図６において、当該複数の蓄電デバイス収納部１１１０の配列隙間に該当する空間に、樹脂充填用凹部１１２０が配置されている。図６に示すように、樹脂充填用凹部１１２０は上面が開放された略四角柱の形状を有しており、その側壁四面はそれぞれ充填樹脂が蓄電デバイス１２００と密着または／および接着するための貫通孔１１３０が設けられ、貫通孔１１３０は典型的には縦長スリット状である。
【００３４】
また、図６において、紙面左上から紙面右下方向の斜め方向に複数の第一リブ１１４０（１）が、ちょうど蓄電デバイス収納部１１１０及び樹脂充填用凹部１１２０の間を仕切るように上方（紙面手前側）に所定高さだけ突出してかつ交互に湾曲して設けられている。同様に、紙面右上から紙面左下方向の斜め方向に複数の第二リブ１１４０（２）が、ちょうど蓄電デバイス収納部１１１０及び樹脂充填用凹部１１２０の間を仕切るように上方（紙面手前側）に突出してかつ交互に湾曲して設けられている。第一リブ１１４０（１）及び第二リブ１１４０（２）は、総称して適宜リブ１１４０と称する。
【００３５】
リブ１１４０は、樹脂充填用凹部１１２０に充填される樹脂が隣接される蓄電デバイス収納部１１１０等へはみ出したりこぼれたりすることを防止する仕切り壁及びガイドの機能を有する。
【００３６】
仮に上方へ任意所定高さだけ突出した仕切り壁状のリブ１１４０が存在しなければ、樹脂充填用凹部１１２０に充填される樹脂が、充填作業時等に隣接箇所にあふれ出したりする事態も懸念されるため、極めて精緻かつ精確な充填量制御及び充填位置制御が必須となる。しかし、リブ１１４０により仕切り壁機能を有するので、ある程度の制御誤差も許容範囲とされることから、現実の生産現場等におけるスループット及び生産性が向上するものとなる。
【００３７】
また、リブ１１４０は、蓄電デバイスホルダー１１００の構造強化の観点からも大きな寄与をするものとなる。すなわち、収納される蓄電デバイス１２００の頭頂部１２１０よりも上方に張り出した網目状壁構成のリブ１１４０によって、当該上方にまさしく骨組みが形成されるものとなるので、これが筋交いのようになって蓄電デバイスホルダー１１００の形状保持強度が大きく向上するものとなる。さらに、蓄電デバイスホルダー１１００の最外周壁においてもリブ１１４０と同一高さまで上方に張り出した仕切り壁構成を有することで、蓄電デバイスホルダー１１００全体の形状保持強度が大きく維持される。
【００３８】
さらにリブ１１４０は、仕切り壁状であってある程度の厚さを有するが、バルクではない網目骨組状であることから全体として軽量化に寄与するものとなり、かつ蓄電デバイス１２００の頭頂部１２１０が空冷等されるための空間及び空気の通過・換気スペースを保持できるものとなる。さらに、図６において、リブ１１４０は、少し湾曲した波状に延伸されるものとすることにより、その形状強度がさらに増大するものとなり、かつ省スペース化を実現可能となる。
【００３９】
すなわち、当該少し湾曲した波状形状は、図６の視野観察から理解できるように、蓄電デバイスホルダー１１００のスペースを広げるように少し樹脂充填用凹部１１２０側に膨らんだものである。これにより、樹脂充填用凹部１１２０の容積を少し低減させる一方で蓄電デバイスホルダー１１００のスペースを増大させるものとできる。換言すれば、同一の蓄電デバイス収納部１１１０のスペースを確保する場合には、樹脂充填用凹部１１２０の容積を低減させる相当分だけ全体の容積を低減させることにつながる。
【００４０】
また、図６に明示しているように、蓄電デバイスホルダー１１００の辺縁部においては、１／２形状（略三角形の形状）の樹脂充填用凹部１１２０が設けられるものとできる。そしてこの場合においても、蓄電デバイス収納部１１１０との間の壁には貫通孔１１３０が配置されることが好ましい。
【００４１】
図７と図８とは、蓄電デバイス１２００の配置状況とそれに伴って形成される下部空間の概要を説明するために蓄電デバイスモジュール１０００の底面側（リード端子１２３０側）を斜め下方から観察した状態を説明する図である。図７及び図８から理解できるように、蓄電デバイス１２００はその側面の頭頂部１２１０近辺において蓄電デバイスホルダー１１００（及び貫通孔１１３０から侵出した樹脂）に保持されるものとなるので、側面の中央付近や底部近辺は蓄電デバイスモジュール１０００に何ら保持されるものではなく露出されている。
【００４２】
このため、特に発熱部位である側面の中央付近で空冷により冷却されることが容易であり、かつ図７、図８に示すように空気の通過経路がライン状に確保されるものとなるので空冷効率が高いものとなる。
【００４３】
すなわち、蓄電デバイス１２００の配置が一直線状であって複数のライン状に配置されることにより、当該ライン間にも一直線状の空間が見通せるものとなり、空冷に大きく寄与するものとなる。しかも当該見通せる空間箇所は、主たる発熱部位である蓄電デバイス１２００の側面中央付近及びその下部であるため、冷却機能は極めて高いものとなる。なお、ここでいうところの蓄電デバイス１２００の露出とは、蓄電デバイスホルダー１１００や樹脂等に被覆及び接触されていないという意味における露出であって、必ずしも蓄電デバイス本体のむき出し暴露を意味するものではない。蓄電デバイス１２００は蓄電デバイスホルダー１１００に実装されるにあたり各種ケースやカバーに収納されたり保護フィルム等に被覆・保護される場合もあるが、当該各種ケースやカバー等に収納・保護された状態においても、蓄電デバイスホルダー１１００に当接・被覆されていない限り、それがここでいう蓄電デバイス１２００の露出であると理解できる。
【００４４】
また、上記説明においては樹脂が収納される箇所について、説明の便宜上樹脂充填用凹部１１２０を典型例として図示し説明したがこれに限定されるものではなく、その他の樹脂収納部としての任意の構成等を採用し適用してもよい。また、蓄電デバイス収納部１１１０やそのような任意構成の樹脂収納部をそれぞれ単数備える蓄電デバイスホルダーとしてもよく、少なくともいずれかを複数備える蓄電デバイスホルダーとしてもよい。
【００４５】
本発明の蓄電デバイスモジュールや蓄電デバイスホルダー等は、上述の実施形態で説明した構成や方法に限定されるものではなく、当業者に自明な範囲でかつ本発明の技術思想の範囲内で適宜その構成を変更し、組み合わせ適用することができる。
【産業上の利用可能性】
【００４６】
本発明は、キャパシタを含む各種蓄電デバイスを典型例とする任意数の電子部品の実装モジュールに好適である。
【符号の説明】
【００４７】
１０００・・蓄電デバイスモジュール、１１００・・蓄電デバイスホルダー、１１１０・・蓄電デバイス収納部、１１２０・・樹脂充填用凹部、１１３０・・貫通孔、１２００・・蓄電デバイス、１２１０・・頭頂部。
【図１】
2019179856.tif 000003
【図２】
2019179856.tif 000004
【図３】
2019179856.tif 000005
【図４】
2019179856.tif 000006
【図５】
2019179856.tif 000007
【図６】
2019179856.tif 000008
【図７】
2019179856.tif 000009
【図８】
2019179856.tif 000010
【図９】
2019179856.tif 000011